(57)【特許請求の範囲】
【請求項１】
検査とプリセット値とを対応付けて検査オーダーを管理する検査オーダー管理システムにおいて、
検査内容が同一の検査には同一のプリセット値を割り当てるように、プリセット値と検査情報とを対応付けるプリセット値登録手段と、
個々の検査と前記プリセット値を対応付ける検査オーダー登録手段と、
前記プリセット値で表現されない特定情報を個々の検査に対応付ける特定情報登録手段と、
前記プリセット値登録手段による対応付け、前記検査オーダー登録手段による対応付けおよび前記特定情報登録手段による対応付けを参照して、個々の検査および前記検査情報を対応付けて出力する出力手段と、
を備え、
前記プリセット値登録手段は、前記検査情報として上位概念を前記プリセット値と対応付け、
前記特定情報登録手段は、前記特定情報として前記上位概念に含まれる下位概念を個々の検査に対応付け、
前記出力手段は、前記プリセット値登録手段により前記検査情報として前記上位概念が対応付けられている場合には、前記特定情報登録手段により対応付けられている前記下位概念を前記検査情報として出力することを特徴とする検査オーダー管理システム。
【請求項２】
前記特定情報登録手段による対応付けに対するユーザによる指示を受け付ける受付手段を備えることを特徴とする請求項１に記載の検査オーダー管理システム。
【請求項３】
前記特定情報は検査に使用する物品を指定する情報であることを特徴とする請求項１または２に記載の検査オーダー管理システム。
【請求項４】
前記特定情報は前記物品の供給元を指定する情報であることを特徴とする請求項３に記載の検査オーダー管理システム。
【請求項５】
検査とプリセット値とを対応付けて検査オーダーを管理する検査オーダー管理方法において、
検査内容が同一の検査には同一のプリセット値を割り当てるように、プリセット値と検査情報とを対応付けるステップと、
個々の検査と前記プリセット値を対応付けるステップと、
前記プリセット値で表現されない特定情報を個々の検査に対応付けるステップと、
前記プリセット値と前記検査情報との対応付け、前記検査と前記プリセット値との対応付けおよび前記特定情報と個々の検査との対応付けを参照して、個々の検査および前記検査情報を対応付けて出力するステップと、
をコンピュータが実行し、
前記プリセット値と検査情報とを対応付けるステップでは、前記検査情報として上位概念を前記プリセット値と対応付け、
前記特定情報を対応付けるステップでは、前記特定情報として前記上位概念に含まれる下位概念を個々の検査に対応付け、
前記するステップでは、前記プリセット値を対応付けるステップにより前記検査情報として前記上位概念が対応付けられている場合には、前記特定情報を対応付けるステップにより対応付けられている前記下位概念を前記検査情報として出力することを特徴とする検査オーダー管理方法。
【請求項６】
前記特定情報を個々の検査に対応付けるステップにおける対応付けに対するユーザによる指示を受け付けるステップをコンピュータが実行することを特徴とする請求項５に記載の検査オーダー管理方法。
【請求項７】
前記特定情報は検査に使用する物品を指定する情報であることを特徴とする請求項５または６に記載の検査オーダー管理方法。
【請求項８】
前記特定情報は前記物品の供給元を指定する情報であることを特徴とする請求項７に記載の検査オーダー管理方法。
【発明の詳細な説明】
【技術分野】
【０００１】
本発明は、検査とプリセット値とを対応付けて検査オーダーを管理する検査オーダー管理システムおよび検査オーダー管理方法に関する。
【背景技術】
【０００２】
医療機関では、検査オーダーの管理業務の効率化を図るために、各検査に対応する詳細な検査情報をプリセット値として登録する方法がとられている。例えば、放射線科における検査実施時には、プリセット値を介して検査情報を呼び出すことによって、検査装置の撮影パラメータ、使用する造影剤や薬剤、感光フィルムの種類や枚数等の検査情報を一括して取得することができる。
【０００３】
【特許文献１】特開平０８−００７０１３号公報
【発明の開示】
【発明が解決しようとする課題】
【０００４】
しかし、プリセット値はすべての検査情報を一組ずつ登録するため、検査情報の一部が異なる場合でも別のプリセット値を用意する必要がある。例えば、放射線科の業務では、同種の検査で使用する同一成分の造影剤であっても、在庫、その他の種々の理由から、日によって別メーカーの製品へ切り替える場合がある。その場合、例えば検査部門への指示として、個々の製品を指定する情報を含める必要がある。したがって、同一検査にもかかわらず、使用する造影剤のメーカーが複数あれば、その分だけ新たなプリセット値を追加登録しなければならない。
【０００５】
このため、プリセット値の登録、保守作業の負担が増えるとともに、プリセット値と検査内容との対応関係が複雑となるため検査内容が把握しにくくなるという問題がある。また、例えば新たなメーカーの造影剤を追加する場合や、使用する造影剤が変更される場合、新たなプリセット値を発番するしかなく、造影剤の追加や変更に対し柔軟に対応できない。
【０００６】
本発明の目的は、プリセット値の管理負担を軽減するとともに、柔軟な運用を図ることができる検査オーダー管理システムおよび検査オーダー管理方法を提供することにある。
【課題を解決するための手段】
【０００７】
本発明の検査オーダー管理システムは、検査とプリセット値とを対応付けて検査オーダーを管理する検査オーダー管理システムにおいて、検査内容が同一の検査には同一のプリセット値を割り当てるように、プリセット値と検査情報とを対応付けるプリセット値登録手段と、個々の検査と前記プリセット値を対応付ける検査オーダー登録手段と、前記プリセット値で表現されない特定情報を個々の検査に対応付ける特定情報登録手段と、前記プリセット値登録手段による対応付け、前記検査オーダー登録手段による対応付けおよび前記特定情報登録手段による対応付けを参照して、個々の検査および前記検査情報を対応付けて出力する出力手段と、を備え、前記プリセット値登録手段は、前記検査情報として上位概念を前記プリセット値と対応付け、前記特定情報登録手段は、前記特定情報として前記上位概念に含まれる下位概念を個々の検査に対応付け、前記出力手段は、前記プリセット値登録手段により前記検査情報として前記上位概念が対応付けられている場合には、前記特定情報登録手段により対応付けられている前記下位概念を前記検査情報として出力することを特徴とする検査オーダー管理システム。
この検査オーダー管理システムによれば、検査内容が同一の検査には同一のプリセット値を割り当て、別途、プリセット値で表現されない特定情報を個々の検査に対応付けたので、プリセット値を減らすことができるとともに、プリセット値と検査内容とを対応付けることができる。このため、検査オーダーの管理負担が軽減されるとともに、柔軟な運用を図ることができる。
【０００８】
前記特定情報登録手段による対応付けに対するユーザによる指示を受け付ける受付手段を備えてもよい。
この場合には、ユーザによる指示によって特定情報を自由に指定できる。
【０００９】
前記特定情報は検査に使用する物品を指定する情報であってもよい。
【００１０】
前記特定情報は前記物品の供給元を指定する情報であってもよい。
【００１１】
本発明の検査オーダー管理方法は、検査とプリセット値とを対応付けて検査オーダーを管理する検査オーダー管理方法において、検査内容が同一の検査には同一のプリセット値を割り当てるように、プリセット値と検査情報とを対応付けるステップと、個々の検査と前記プリセット値を対応付けるステップと、前記プリセット値で表現されない特定情報を個々の検査に対応付けるステップと、前記プリセット値と前記検査情報との対応付け、前記検査と前記プリセット値との対応付けおよび前記特定情報と個々の検査との対応付けを参照して、個々の検査および前記検査情報を対応付けて出力するステップと、をコンピュータが実行し、前記プリセット値と検査情報とを対応付けるステップでは、前記検査情報として上位概念を前記プリセット値と対応付け、前記特定情報を対応付けるステップでは、前記特定情報として前記上位概念に含まれる下位概念を個々の検査に対応付け、前記するステップでは、前記プリセット値を対応付けるステップにより前記検査情報として前記上位概念が対応付けられている場合には、前記特定情報を対応付けるステップにより対応付けられている前記下位概念を前記検査情報として出力することを特徴とする。
この検査オーダー管理方法によれば、検査内容が同一の検査には同一のプリセット値を割り当て、別途、プリセット値で表現されない特定情報を個々の検査に対応付けたので、プリセット値を減らすことができるとともに、プリセット値と検査内容とを対応付けることができる。このため、検査オーダーの管理負担が軽減されるとともに、柔軟な運用を図ることができる。
【００１２】
前記特定情報を個々の検査に対応付けるステップにおける対応付けに対するユーザによる指示を受け付けるステップをコンピュータが実行してもよい。
【００１３】
前記特定情報は検査に使用する物品を指定する情報であってもよい。
【００１４】
前記特定情報は前記物品の供給元を指定する情報であってもよい。
【発明の効果】
【００１５】
本発明の検査オーダー管理システムによれば、検査内容が同一の検査には同一のプリセット値を割り当て、別途、プリセット値で表現されない特定情報を個々の検査に対応付けたので、プリセット値を減らすことができるとともに、プリセット値と検査内容とを対応付けることができる。このため、検査オーダーの管理負担が軽減されるとともに、柔軟な運用を図ることができる。
【００１６】
本発明の検査オーダー管理方法によれば、検査内容が同一の検査には同一のプリセット値を割り当て、別途、プリセット値で表現されない特定情報を個々の検査に対応付けたので、プリセット値を減らすことができるとともに、プリセット値と検査内容とを対応付けることができる。このため、検査オーダーの管理負担が軽減されるとともに、柔軟な運用を図ることができる。
【発明を実施するための最良の形態】
【００１７】
図１は本発明による検査オーダー管理システムを機能的に示すブロック図である。
【００１８】
図１において、プリセット値登録手段１０１は、検査内容が同一の検査には同一のプリセット値を割り当てるように、プリセット値と検査情報とを対応付ける。検査オーダー登録手段１０２は、個々の検査とプリセット値を対応付ける。特定情報登録手段１０３は、プリセット値で表現されない特定情報を個々の検査に対応付ける。出力手段１０４は、プリセット値登録手段１０１による対応付け、検査オーダー登録手段１０２による対応付けおよび特定情報登録手段１０３による対応付けを参照して、個々の検査、検査情報、および特定情報を対応付けて出力する。
【００１９】
受付手段１０５は、特定情報登録手段１０３による対応付けに対するユーザによる指示を受け付ける。
【００２０】
以下、図２〜図７を参照して、本発明による検査オーダー管理システムを放射線業務システムに適用した一実施形態について説明する。
【００２１】
図２は、本実施形態の検査オーダー管理システムの構成を示すブロック図である。
【００２２】
図２に示すように、本実施形態の検査オーダー管理システムは、検査オーダーの管理に必要な処理を実行するサーバ１と、検査オーダーの情報を格納するデータベース２と、を備える。サーバ１およびデータベース２は通信回線３を介して互いに接続されている。
【００２３】
また、通信回線３には、放射線を用いた各種検査を実施するための検査装置４１，４２，・・・と、検査オーダーの管理に必要な操作を受け付ける端末装置５１，５２，・・・と、検査の受け付けを含む病院内における種々の情報処理を実行する病院情報システム６と、がそれぞれ接続されている。
【００２４】
図３（ａ）はプリセット値を登録するためのテーブルの構成を示す図である。
【００２５】
このテーブルは、サーバ１に保存される。図３（ａ）に示すように、このテーブルにより、検査内容とプリセット値とが対応付けられる。検査内容は検査に必要な一群の検査情報として示される。検査内容とプリセット値とは一対一に対応付けられており、同一の検査内容に対し複数のプリセット値が割り当てられることはない。また、異なる検査内容に重複して同一のプリセット値が割り当てられることはない。
【００２６】
図３（ａ）の例では、各検査内容、すなわち各プリセット値に対する検査情報として、使用する造影剤の一般名称を示す「造影剤」、使用する感光フィルムの種類（サイズや感度等）を示す「フィルム種類」、使用する感光フィルムの枚数を示す「フィルム枚数」、撮影時の各種パラメータ（放射線の照射強度、照射時間等）を示す「撮影パラメータ」等が定義される。
【００２７】
図３（ｂ）は検査オーダーを登録するためのテーブルの構成を示す図である。
【００２８】
このテーブルはデータベース２に保存される。図３（ｂ）に示すように、このテーブルにより、オーダー番号として特定される検査と、プリセット値とが対応付けられる。このテーブルの各レコードは、病院情報システム６から検査予約を受け付けた際に、サーバ１により順次作成される。
【００２９】
以上２つのテーブルを参照することにより、プリセット値を介して、オーダー番号として特定される検査と、その検査内容、すなわち一群の検査情報とが対応付けられることになる。プリセット値を指定することで、すべての検査情報を一括して選択できる。
【００３０】
図４は、「造影剤」（図３（ａ））の商品名を示すテーブルの構成を示す図である。
【００３１】
このテーブルはサーバ１に保存される。この例では、造影剤「ａｂｃ」として、メーカーの異なる３つの商品「ＫＫＫ」、「ＬＬＬ」および「ＭＭＭ」が該当することを示している。これらの商品は同一成分の造影剤であり、互いに代替品として使用可能なものである。したがって、図３（ａ）のテーブルで規定された各プリセット値の検査において、どの商品を使用しても同一内容の検査を実施できる。
【００３２】
次に、本実施形態の検査オーダー管理システムの動作について説明する。
【００３３】
図５のステップＳ１〜ステップＳ２は、使用する造影剤を登録する処理を示すフローチャートである。この処理は、例えば端末装置５１からの指示に従うサーバ１の制御に基づいて実行される。
【００３４】
図５のステップＳ１では、例えば端末装置５１を介して入力された指示を受け付ける。次に、ステップＳ２では、受け付けた指示に基づいて造影剤の商品名を登録し、処理を終了する。
【００３５】
この処理では、ユーザは、例えば当日の検査開始前に実際に使用する造影剤の商品名を図４のテーブルに基づいて選択することができる（ステップＳ１）。ステップＳ２では選択された商品名が登録される。
【００３６】
図５のステップＳ１１〜ステップＳ１６は、対象となる検査について検査情報を所定の送信先へ送信する処理を示すフローチャートである。この処理は、例えば端末装置５１からの指示に従うサーバ１の制御に基づいて実行される。
【００３７】
図５のステップＳ１１では、例えば端末装置５１を介して入力された指示に基づきオーダー番号を取得する。次にステップＳ１２では、データベース２に格納された図３（ｂ）のテーブルにアクセスし、上記オーダー番号で示される検査のプリセット値を取得する。次にステップＳ１３では、図３（ａ）のテーブルにアクセスし、上記検査の検査情報を取得する。
【００３８】
次にステップＳ１４では、取得した検査情報に基づき、上記検査において、複数の商品が該当する特定の造影剤が使用されるか否か判断する。この判断が肯定されればステップＳ１５へ進み、否定されればステップＳ１６へスキップする。図４のテーブルに示す造影剤が、上記特定の造影剤に対応する。
【００３９】
ステップＳ１５では、使用すべき造影剤の商品名、すなわちステップＳ１〜ステップＳ２の処理で登録した商品名を取得する。
【００４０】
ステップＳ１６では、ステップＳ１３で取得した検査情報を所定の送信先、例えば、検査室に設定された検査装置４１や端末装置５２、あるいは病院情報システム６等に送信する。また、登録した商品名を取得した場合（ステップＳ１６）には、この商品名を併せて送信する。このように、本実施形態では登録されている造影剤の商品名が自動的に選択され、送信される。
【００４１】
以上のように、本実施形態では、造影剤のメーカーごとに新たなプリセット値を設ける必要がないため、プリセット数を減らすことができ、プリセット値の登録、保守作業の負担が軽減される。また、同一検査に対して複数のプリセット値が割り当てられる事態を回避できる。このため、検査内容についての判断が容易となり、検査オーダーを管理し易くなる。
【００４２】
また、例えば新たなメーカーの造影剤を追加する場合や、使用する造影剤が変更される場合、図４に示すテーブルを修正すれば足り、新たなプリセット値を追加する必要がない。このため、造影剤の追加や変更に対し、容易かつ柔軟な対応が可能となる。また、造影剤の商品名の登録時には、商品名自体を利用して入力操作することができる。このため、操作内容が分かりやすくなり、入力操作の負担が軽減される。さらに、商品名の送信先でも商品名自体を表示することができるため、指示が明瞭となり検査実施時の負担を軽減できる。
【００４３】
上記実施形態では、造影剤の選択について例示したが、例えば、他の薬剤や感光フィルムのメーカーが複数存在する場合、あるいは同等の検査装置が複数存在する場合等にも同様の処理を適用できる。また、本実施形態では、放射線業務への適用を例示したが、適用部門は限定されない。
【００４４】
本発明の適用範囲は上記実施形態に限定されることはない。本発明は、検査とプリセット値とを対応付けて検査オーダーを管理する検査オーダー管理システムおよび検査オーダー管理方法に対し、広く適用することができる。
【図面の簡単な説明】
【００４５】
【図１】本発明による検査オーダー管理システムを機能的に示すブロック図。
【図２】本実施形態の検査オーダー管理システムの構成を示すブロック図。
【図３】テーブルの構成を示す図であり、（ａ）はプリセット値を登録するためのテーブルの構成を示す図、（ｂ）は検査オーダーを登録するためのテーブルの構成を示す図。
【図４】造影剤の商品名を示すテーブルの構成を示す図。
【図５】本実施形態の検査オーダー管理システムにおける処理を示すフローチャート。
【符号の説明】
【００４６】
１      サーバ（プリセット値登録手段、検査オーダー登録手段、特定情報登録手段、出力手段、受付手段）
２      データベース（検査オーダー登録手段）
１０１  プリセット値登録手段
１０２  検査オーダー登録手段
１０３  特定情報登録手段
１０４  出力手段
１０５  受付手段
【図１】
0004742714.tif 000002
【図２】
0004742714.tif 000003
【図３】
0004742714.tif 000004
【図４】
0004742714.tif 000005
【図５】
0004742714.tif 000006